【手続補正書】
【提出日】平成17年7月21日(2005.7.21)
【手続補正１】
【補正対象書類名】明細書
【補正対象項目名】特許請求の範囲
【補正方法】変更
【補正の内容】
【特許請求の範囲】
【請求項１】
他の機器とのデータ転送をしている際に、下位層が切断された場合、一定時間セッションを保持するように上位層を制御し、前記一定時間内に前記下位層においてコネクションが回復した場合、継続してデータ転送を行うように前記上位層を制御する制御手段を有することを特徴とする通信制御装置。
【請求項２】
前記一定時間を設定する設定手段を有することを特徴とする請求項１記載の通信制御装置。
【請求項３】
前記制御手段は、
前記一定時間が経過したか否かを判別する判別手段と、
前記判別手段により前記一定時間が経過したと判別されるまでの間で前記他の機器がバス上に復帰したか否かを判別する判別手段と、
前記判別手段により復帰したと判別された場合、前記他の機器に対してログインが成功したか否かを判別する判別手段と、
前記判別手段によりログインが成功したと判別された場合、前記他の機器が継続して受信可能か否かを判別する判別手段と、
前記判別手段により継続して受信可能と判別された場合、データを前記他の機器に送信する送信手段とを含むことを特徴とする請求項１記載の通信制御装置。
【請求項４】
前記制御手段は、
一定時間が経過したか否かを判別する判別手段と、
前記判別手段により一定時間が経過したと判別された場合、転送中のデータのクリア処理を行う手段とを含むことを特徴とする請求項１記載の通信制御装置。
【請求項５】
前記下位層は、データの転送を保証する層であり、回線断または回線異常を検知し、回線断処理を実行することを特徴とする請求項１記載の通信制御装置。
【請求項６】
前記下位層は、ＯＳＩレイヤ７に定義されるトランスポート層以下であり、前記上位層は、ＯＳＩレイヤ７に定義されるセッション層以上であることを特徴とする請求項１記載の通信制御装置。
【請求項７】
前記トランスポート層以下の層のプロトコルとしてＳＢＰ−２を用いることを特徴とする請求項１記載の通信制御装置。
【請求項８】
前記下位層の物理層にはＩＥＥＥ１３９４を用いることを特徴とする請求項１記載の通信制御装置。
【請求項９】
前記通信制御装置は、コンピュータであり、前記他の機器は、プリンタであることを特徴とする請求項１記載の通信制御装置。
【請求項１０】
前記下位層の切断は、前記他の機器との回線が物理的に切断された時、または、前記回線に新たな機器が接続された時に起こることを特徴とする請求項１記載の通信制御装置。
【請求項１１】
他の機器とのデータ転送をしている際に、下位層が切断された場合、一定時間セッションを保持し、前記一定時間内に前記下位層においてコネクションが回復した場合、継続してデータ転送を行うように上位層を制御する制御ステップを有することを特徴とする通信制御方法。
【請求項１２】
前記一定時間を設定する設定ステップを有することを特徴とする請求項１１記載の通信制御方法。
【請求項１３】
前記制御ステップは、
前記一定時間が経過したか否かを判別する判別ステップと、
前記判別ステップにより前記一定時間が経過したと判別されるまでの間で前記他の機器がバス上に復帰したか否かを判別する判別ステップと、
前記判別ステップにより復帰したと判別された場合、前記他の機器に対してログインが成功したか否かを判別する判別ステップと、
前記判別ステップによりログインが成功したと判別された場合、前記他の機器が継続して受信可能か否かを判別する判別ステップと、
前記判別ステップにより継続して受信可能と判別された場合、データを前記他の機器に送信する送信ステップとを含むことを特徴とする請求項１１記載の通信制御方法。
【請求項１４】
前記制御ステップは、前記一定時間が経過したか否かを判別する判別ステップと、前記判別ステップにより前記一定時間が経過したと判別された場合、転送中のデータのクリア処理を行うステップとを含むことを特徴とする請求項１１記載の通信制御方法。
【請求項１５】
前記下位層は、データの転送を保証する層であり、回線断または回線異常を検知し、回線断処理を実行することを特徴とする請求項１１記載の通信制御方法。
【請求項１６】
前記下位層は、ＯＳＩレイヤ７に定義されるトランスポート層以下であり、前記上位層は、ＯＳＩレイヤ７に定義されるセッション層以上であることを特徴とする請求項１１記載の通信制御方法。
【請求項１７】
前記トランスポート層以下の層のプロトコルとしてＳＢＰ−２を用いることを特徴とする請求項１１記載の通信制御方法。
【請求項１８】
前記下位層の物理層にはＩＥＥＥ１３９４を用いることを特徴とする請求項１１記載の通信制御方法。
【請求項１９】
前記通信制御方法は、コンピュータであり、前記他の機器は、プリンタであることを特徴とする請求項１１記載の通信制御方法。
【請求項２０】
前記下位層の切断は、前記他の機器との回線が物理的に切断された時、または、前記回線に新たな機器が接続された時に起こることを特徴とする請求項１１記載の通信制御方法。
【請求項２１】
他の機器とのデータ転送をしている際に、下位層が切断された場合、一定時間セッションを保持し、前記一定時間内に前記下位層においてコネクションが回復した場合、継続してデータ転送を行うように上位層を制御する制御ステップを有するプログラムを記憶することを特徴とする記憶媒体。
【請求項２２】
前記一定時間を設定する設定ステップを有することを特徴とする請求項２１記載の記憶媒体。
【請求項２３】
前記制御ステップは、
前記一定時間が経過したか否かを判別する判別ステップと、
前記判別ステップにより前記一定時間が経過したと判別されるまでの間で前記他の機器がバス上に復帰したか否かを判別する判別ステップと、
前記判別ステップにより復帰したと判別された場合、前記他の機器に対してログインが成功したか否かを判別する判別ステップと、
前記判別ステップによりログインが成功したと判別された場合、前記他の機器が継続して受信可能か否かを判別する判別ステップと、
前記判別ステップにより継続して受信可能と判別された場合、データを前記他の機器に送信する送信ステップとを含むことを特徴とする請求項２１記載の記憶媒体。
【請求項２４】
前記制御ステップは、前記一定時間が経過したか否かを判別する判別ステップと、前記判別ステップにより前記一定時間が経過したと判別された場合、転送中のデータのクリア処理を行うステップとを含むことを特徴とする請求項２１記載の記憶媒体。
【請求項２５】
前記下位層は、データの転送を保証する層であり、回線断または回線異常を検知し、回線断処理を実行することを特徴とする請求項２１記載の記憶媒体。
【請求項２６】
前記下位層は、ＯＳＩレイヤ７に定義されるトランスポート層以下であり、前記上位層は、ＯＳＩレイヤ７に定義されるセッション層以上であることを特徴とする請求項２１記載の記憶媒体。
【請求項２７】
前記トランスポート層以下の層のプロトコルとしてＳＢＰ−２を用いることを特徴とする請求項２１記載の記憶媒体。
【請求項２８】
前記下位層の物理層にはＩＥＥＥ１３９４を用いることを特徴とする請求項２１記載の記憶媒体。
【請求項２９】
前記記憶媒体は、コンピュータであり、前記他の機器は、プリンタであることを特徴とする請求項２１記載の記憶媒体。
【請求項３０】
前記下位層の切断は、前記他の機器との回線が物理的に切断された時、または、前記回線に新たな機器が接続された時に起こることを特徴とする請求項２１記載の記憶媒体。
【手続補正２】
【補正対象書類名】明細書
【補正対象項目名】０００４
【補正方法】変更
【補正の内容】
【０００４】
また、下位層が切断された時、上位層もそれに対応して即時切断するのであれば、ユーザーの不注意や機器配置がえ等による回線断及び回線再接続によって、印字過程はすべて最初からやり直しになり、印刷の場合、紙、時間、インク（トナー）等に大きな無駄が生じる。
【手続補正３】
【補正対象書類名】明細書
【補正対象項目名】０００５
【補正方法】変更
【補正の内容】
【０００５】
上記課題を解決するために本発明の目的は、下位層が切断されたことに対して、リカバリのできる通信制御装置、通信制御方法、および、記憶媒体を提供することにある。
【手続補正４】
【補正対象書類名】明細書
【補正対象項目名】０００６
【補正方法】変更
【補正の内容】
【０００６】
【課題を解決するための手段】
上記目的を達成するために、本発明の通信制御装置は、他の機器とのデータ転送をしている際に、下位層が切断された場合、一定時間セッションを保持するように上位層を制御し、前記一定時間内に前記下位層においてコネクションが回復した場合、継続してデータ転送を行うように前記上位層を制御する制御手段を有することを特徴とする。
【手続補正５】
【補正対象書類名】明細書
【補正対象項目名】０００７
【補正方法】変更
【補正の内容】
【０００７】
また、本発明の通信制御方法は、他の機器とのデータ転送をしている際に、下位層が切断された場合、一定時間セッションを保持し、前記一定時間内に前記下位層においてコネクションが回復した場合、継続してデータ転送を行うように上位層を制御する制御ステップを有することを特徴とする。
【手続補正６】
【補正対象書類名】明細書
【補正対象項目名】０００８
【補正方法】変更
【補正の内容】
【０００８】
また、本発明の記憶媒体は、他の機器とのデータ転送をしている際に、下位層が切断された場合、一定時間セッションを保持し、前記一定時間内に前記下位層においてコネクションが回復した場合、継続してデータ転送を行うように上位層を制御する制御ステップを有するプログラムを記憶することを特徴とする。